(57)【要約】【課題】  透過状態及び非透過状態間の高速切替えを行うことができ、透過画像の品位に優れ、ユーザの姿勢の制限を低減することができるシャッタメガネを提供する。【解決手段】  シャッタメガネは、第１パネル、第２パネル及び駆動部を備えている。第１パネルは、左目に入射される光を透過する透過状態及び左目に入射される光を遮蔽する非透過状態に切替え可能な複数の第１ＭＥＭＳ素子１５Ｌを有している。第２パネルは、右目に入射される光を透過する透過状態及び右目に入射される光を遮蔽する非透過状態に切替え可能な複数の第２ＭＥＭＳ素子１５Ｒと、を有している。駆動部は、第１パネルに第１駆動信号を供給して複数の第１ＭＥＭＳ素子１５Ｌを透過状態及び非透過状態に交互に切替え、第２パネルに第２駆動信号を供給して複数の第２ＭＥＭＳ素子１５Ｒを透過状態及び非透過状態に交互に切替える。【選択図】図４
2012155078.tif 000002
【特許請求の範囲】
【請求項１】
一対の基板と、前記基板間に設けられ、左目の視界を覆い、左目に入射される光を透過する透過状態及び左目に入射される光を遮蔽する非透過状態に切替え可能な複数の第１ＭＥＭＳ素子と、を有した第１パネルと、
一対の基板と、前記基板間に設けられ、右目の視界を覆い、右目に入射される光を透過する透過状態及び右目に入射される光を遮蔽する非透過状態に切替え可能な複数の第２ＭＥＭＳ素子と、を有した第２パネルと、
前記第１パネルに第１駆動信号を供給して前記複数の第１ＭＥＭＳ素子を前記透過状態及び非透過状態に交互に切替え、前記第２パネルに第２駆動信号を供給して前記複数の第２ＭＥＭＳ素子を前記透過状態及び非透過状態に交互に切替える駆動部と、を備えていることを特徴とするシャッタメガネ。
【請求項２】
前記駆動部が前記第１パネルに前記第１駆動信号を供給しない場合、前記複数の第１ＭＥＭＳ素子は、自発的に前記透過状態に切替わり、安定し、
前記駆動部が前記第２パネルに前記第２駆動信号を供給しない場合、前記複数の第２ＭＥＭＳ素子は、自発的に前記透過状態に切替わり、安定することを特徴とする請求項１に記載のシャッタメガネ。
【請求項３】
前記駆動部は、
前記複数の第１ＭＥＭＳ素子が前記透過状態に切替わっている間に前記第１パネルへの前記第１駆動信号の供給を停止し、前記複数の第１ＭＥＭＳ素子を前記透過状態に安定させ、
前記複数の第２ＭＥＭＳ素子が前記透過状態に切替わっている間に前記第２パネルへの前記第２駆動信号の供給を停止し、前記複数の第２ＭＥＭＳ素子を前記透過状態に安定させることを特徴とする請求項１に記載のシャッタメガネ。
【請求項４】
前記第１パネルは、前記複数の第１ＭＥＭＳ素子に接続され、前記駆動部から供給される前記第１駆動信号を前記複数の第１ＭＥＭＳ素子に供給するのかどうかを切替える複数の第１スイッチング素子をさらに有し、
前記第２パネルは、前記複数の第２ＭＥＭＳ素子に接続され、前記駆動部から供給される前記第２駆動信号を前記複数の第２ＭＥＭＳ素子に供給するのかどうかを切替える複数の第２スイッチング素子をさらに有したことを特徴とする請求項１に記載のシャッタメガネ。
【請求項５】
前記第１パネルは、前記複数の第１ＭＥＭＳ素子に接続され、前記第１駆動信号を前記複数の第１ＭＥＭＳ素子に一括して供給可能とする第１共通配線をさらに有し、
前記第２パネルは、前記複数の第２ＭＥＭＳ素子に接続され、前記第２駆動信号を前記複数の第２ＭＥＭＳ素子に一括して供給可能とする第２共通配線をさらに有したことを特徴とする請求項１に記載のシャッタメガネ。
【発明の詳細な説明】
【技術分野】
【０００１】
本発明の実施形態は、シャッタメガネに関する。
【背景技術】
【０００２】
近年、立体画像を表示するための技術が種々提案されている。上記技術として、例えばアクティブシャッタ方式の液晶シャッタと、時分割方式の液晶表示装置等の表示装置とを用いた立体画像表示技術が知られている。
【０００３】
液晶表示装置は、左目用の画像と右目用の画像とを交互に表示する。液晶シャッタは、液晶表示装置の画像表示に連動し、左目用の液晶パネル及び右目用の液晶パネルを透過状態（オン）及び非透過状態（オフ）に切替える。
【０００４】
液晶表示装置が左目用の画像を表示している間、液晶表示装置から出射される光は、左目用の液晶パネルは透過し、右目用の液晶パネルは遮蔽する。同様に、液晶表示装置が右目用の画像を表示している間、液晶表示装置から出射される光は、左目用の液晶パネルは遮蔽し、右目用の液晶パネルは透過する。これにより、液晶シャッタを装着したユーザは、左目用の画像と、右目用の画像とを左右の目で交互にみることとなり、液晶表示装置に表示される平面画像を立体画像のようにみることができる。
【先行技術文献】
【特許文献】
【０００５】
【特許文献１】特開平１０−１９１３９９号公報
【特許文献２】特開２０００−２７５５７５号公報
【特許文献３】特開２００７−１１０６８３号公報
【発明の概要】
【発明が解決しようとする課題】
【０００６】
ところで、上記液晶シャッタにおいては、次に挙げるような問題を有している。  
（１）液晶層に電圧を印加して液晶分子の傾き角を制御する必要がある。液晶分子の傾き角を高速に変化させることは困難であるため、透過状態及び非透過状態間の切替えに時間がかかってしまう。
【０００７】
（２）屈折率を利用しているため、波長分散の影響を受けることとなる。すなわち、波長に応じて減衰率が異なることとなる。これにより、液晶表示装置が表示する画像を、液晶シャッタを通してみた場合、液晶シャッタを通さずにみた場合に比べて画像の色が異なってしまう。特に、画像が青色に色付いてしまう。
【０００８】
（３）液晶層が複屈折を持っていることから光路長が変わるため、液晶シャッタの視野角特性が悪く（視野角が狭く）なってしまう。これにより、液晶表示装置の画面を斜め方向から見ると、コントラストが下がったり、画像の白黒が反転したりしてしまう。
【０００９】
（４）液晶シャッタは、偏光板を必要とするため、液晶表示装置が表示する画像を、液晶シャッタを通してみた場合、液晶シャッタを通さずにみた場合に比べて画像の輝度レベルが低下してしまう。
【００１０】
（５）液晶シャッタの偏光板の光透過軸と、液晶表示装置が出射する直線偏光の方向とを合わせる必要がある。このため、ユーザの顔が液晶表示装置の画面に正対した位置で、液晶シャッタの偏光板の光透過軸と、液晶表示装置が出射する直線偏光の方向とを合わせた場合、ユーザが寝そべったりして、顔が傾くと、上記光透過軸も傾くため、画像の輝度レベルが著しく下がってしまう。
【００１１】
この発明は以上の点に鑑みなされたもので、その目的は、透過状態及び非透過状態間の高速切替えを行うことができ、透過画像の品位に優れ、ユーザの姿勢の制限を低減することができるシャッタメガネを提供することにある。
【課題を解決するための手段】
【００１２】
一実施形態に係るシャッタメガネは、
一対の基板と、前記基板間に設けられ、左目の視界を覆い、左目に入射される光を透過する透過状態及び左目に入射される光を遮蔽する非透過状態に切替え可能な複数の第１ＭＥＭＳ素子と、を有した第１パネルと、
一対の基板と、前記基板間に設けられ、右目の視界を覆い、右目に入射される光を透過する透過状態及び右目に入射される光を遮蔽する非透過状態に切替え可能な複数の第２ＭＥＭＳ素子と、を有した第２パネルと、
前記第１パネルに第１駆動信号を供給して前記複数の第１ＭＥＭＳ素子を前記透過状態及び非透過状態に交互に切替え、前記第２パネルに第２駆動信号を供給して前記複数の第２ＭＥＭＳ素子を前記透過状態及び非透過状態に交互に切替える駆動部と、を備えていることを特徴としている。
【図面の簡単な説明】
【００１３】
【図１】図１は、第１の実施形態に係る画像表示システムを示す概略構成図である。
【図２】図２は、図１に示したシャッタメガネを示す概略構成図である。
【図３】図３は、図１及び図２に示したシャッタメガネを示す概略断面図である。
【図４】図４は、図３に示した第１パネルの第１基板の配線構造を示す平面図である。
【図５】図５は、図１乃至図３に示した第１パネルを示す断面図であり、複数の第１ＭＥＭＳ素子が非透過状態に切替えられている図である。
【図６】図６は、図１乃至図３に示した第１パネルを示す断面図であり、複数の第１ＭＥＭＳ素子が透過状態に切替えられている図である。
【図７】図７は、図１に示した液晶表示装置を概略的に示す断面図である。
【図８】図８は、図７に示したアレイ基板の一部を示す概略構成図である。
【図９】図９は、上記液晶表示装置の画像表示と、第２パネルのＯＮ／ＯＦＦと、第１パネルのＯＮ／ＯＦＦと、を示すタイミングチャートである。
【図１０】図１０は、第２の実施形態に係るシャッタメガネの第１パネルの第１基板の配線構造を示す平面図である。
【図１１】図１１は、第３の実施形態に係るシャッタメガネの第１パネルの第１基板の配線構造を示す平面図である。
【図１２】図１２は、上記第１パネルの第１の変形例を示す図であり、複数の第１ＭＥＭＳ素子が非透過状態に切替えられている図である。
【図１３】図１３は、上記第１パネルの第１の変形例を示す図であり、複数の第１ＭＥＭＳ素子が透過状態に切替えられている図である。
【図１４】図１４は、上記第１パネルの第２の変形例を示す図であり、複数の第１ＭＥＭＳ素子が非透過状態に切替えられている図である。
【図１５】図１５は、上記第１パネルの第２の変形例を示す図であり、複数の第１ＭＥＭＳ素子が透過状態に切替えられている図である。
【図１６】図１６は、上記第１パネルの第３の変形例を示す図であり、複数の第１ＭＥＭＳ素子が非透過状態に切替えられている図である。
【図１７】図１７は、上記第１パネルの第３の変形例を示す図であり、複数の第１ＭＥＭＳ素子が透過状態に切替えられている図である。
【発明を実施するための形態】
【００１４】
以下、図面を参照しながら第１の実施形態に係るシャッタメガネを備えた画像表示システムについて詳細に説明する。  
図１に示すように、画像表示システムは、シャッタメガネ１と、表示装置としての液晶表示装置２と、を備えている。
【００１５】
図１乃至図６に示すように、シャッタメガネ１は、第１パネル３Ｌと、第２パネル３Ｒと、メガネフレーム４と、駆動部５と、電源部６と、受信器７と、筐体８とを備えている。メガネフレーム４は、テンプル部４ａ及びブリッジ部４ｂを含んでいる。
【００１６】
第１パネル３Ｌは、一対の基板（第１基板１０及び第２基板２０）と、基板間に充填されたオイル層３０と、を有している。  
第１基板１０は、透明な絶縁基板としてのガラス基板１１と、このガラス基板１１上に形成された絶縁膜１２、複数のスイッチング素子としての複数のＴＦＴ（薄膜トランジスタ）１３、複数の第１ＭＥＭＳ（Micro Electro Mechanical Systems）素子１５Ｌ、複数の走査線１６、及び複数の信号線１７を有している。
【００１７】
絶縁基板としてはガラス基板の他に、プラスチック基板や樹脂フィルムなどを利用することができる。複数の第１ＭＥＭＳ素子１５Ｌは、マトリクス状に配置されている。複数の走査線１６及び複数の信号線１７は、互いに交差して格子状に配置されている。また、ガラス基板１１上には、駆動回路（集積回路：ＩＣ）１４が設けられている。駆動回路１４には、走査線１６及び信号線１７が接続されている。
【００１８】
駆動回路１４は、複数の第１ＭＥＭＳ素子１５Ｌを駆動するものである。駆動回路１４は、順次、あるいは一括して走査線１６にオンパルス信号を与える。駆動回路１４は、任意の１フレームの期間中あるいは期間の一部に信号線１７に黒電圧（第１ＭＥＭＳ素子１５Ｌが非透過状態となる電圧）を印加し、続く１フレームの期間中あるいは期間の一部に信号線１７に白電圧（第１ＭＥＭＳ素子１５Ｌが透過状態となる電圧）を印加する。
【００１９】
複数の第１ＭＥＭＳ素子１５Ｌは、左目の視界を覆い、左目に入射される光を透過する透過状態（ＯＮ）及び左目に入射される光を遮蔽する非透過状態（ＯＦＦ）に切替え可能である。
【００２０】
第２基板２０は、透明な絶縁基板としてのガラス基板２１と、このガラス基板２１上に形成された遮光層２２と、を有している。同様に、絶縁基板としてはガラス基板の他に、プラスチック基板や樹脂フィルムなどを利用することができる。遮光層２２には、開口部２２ａが形成されている。
【００２１】
第１基板１０及び第２基板２０は、図示しない複数のスペーサにより、所定の隙間を保持して対向配置されている。スペーサとしては、第１基板１０に形成された柱状スペーサやストライプ状のスペーサ等を利用することができる。そして、第１基板１０及び第２基板２０は、これら両基板の周縁部に配置された図示しないシール材により互いに接合されている。オイル層３０は、第１基板１０、第２基板２０及びシール材で囲まれた領域に充填されている。
【００２２】
第１ＭＥＭＳ素子１５Ｌのシャッタ部は、透過状態において開口部２２ａと対向した領域から外れて位置し、非透過状態において開口部２２ａと対向した領域に重なって位置している。第１ＭＥＭＳ素子１５Ｌは、例えばスライド型である。
【００２３】
第２パネル３Ｒは、上記第１パネル３Ｌと同様に形成されている。第２パネル３Ｒは、一対の基板（第１基板１０及び第２基板２０）と、基板間に充填されたオイル層３０と、を有している。第１基板１０は、複数の第１ＭＥＭＳ素子１５Ｌの替わりに複数の第２ＭＥＭＳ素子１５Ｒを有している。複数の第２ＭＥＭＳ素子１５Ｒは、右目の視界を覆い、右目に入射される光を透過する透過状態（ＯＮ）及び右目に入射される光を遮蔽する非透過状態（ＯＦＦ）に切替え可能である。
【００２４】
なお、第１パネル３Ｌ及び第２パネル３Ｒにおいて、図示しないが、これらの形状やこれらに形成される端子の位置は互いに異なっていてもよく、これにより、例えば、第１パネル３Ｌ及び第２パネル３Ｒが左目用及び右目用の何れであるのか識別することができる。
【００２５】
ここで、第１スイッチング素子として、第１パネル３ＬのＴＦＴ１３は、複数の第１ＭＥＭＳ素子１５Ｌに接続され、駆動部５から駆動回路１４を介して供給される第１駆動信号ＶＬを複数の第１ＭＥＭＳ素子１５Ｌに供給するのかどうかを切替えるものである。
【００２６】
第２スイッチング素子として、第２パネル３ＲのＴＦＴ１３は、複数の第２ＭＥＭＳ素子１５Ｒに接続され、駆動部５から駆動回路１４を介して供給される第２駆動信号ＶＲを複数の第２ＭＥＭＳ素子１５Ｒに供給するのかどうかを切替えるものである。
【００２７】
図１及び図３に示すように、第１パネル３Ｌ及び第２パネル３Ｒは、メガネフレーム４に取付けられている。  
図２に示すように、駆動部５は、フレキシブル配線基板（ＦＰＣ）等を介して第１パネル３Ｌ及び第２パネル３Ｒそれぞれの駆動回路１４に電気的に接続されている。駆動部５は、第１パネル３Ｌ及び第２パネル３Ｒそれぞれの駆動回路１４に高電位電圧Ｖｄｄ及び低電位電圧Ｖｓｓを印加可能である。
【００２８】
さらに、駆動部５は、第１パネル３Ｌ（駆動回路１４）に第１駆動信号ＶＬを供給して複数の第１ＭＥＭＳ素子１５Ｌを透過状態及び非透過状態に交互に切替え可能である。また、駆動部５は、第２パネル３Ｒに第２駆動信号ＶＲを供給して複数の第２ＭＥＭＳ素子１５Ｒを透過状態及び非透過状態に交互に切替え可能である。
【００２９】
電源部６及び受信器７は、駆動部５に接続されている。電源部６は、駆動部５に電力を供給するものである。受信器７は、有線又は無線通信によりデータ（同期信号）を受信するものである。駆動部５は、受信器７で受信したデータに基づいて、第１パネル３Ｌ及び第２パネル３Ｒに駆動信号を供給するものである。筐体８は、駆動部５、電源部６及び受信器７を収容し、メガネフレーム４に取付けられている。
【００３０】
上記のようにシャッタメガネ１が形成されている。なお、第１ＭＥＭＳ素子１５Ｌ及び第２ＭＥＭＳ素子１５Ｒの構成及び動作については、一般に知られている技術を適用することが可能である。例えば、特表２００８−５３２０６８号公報に開示されている技術を適用することが可能である。
【００３１】
図１及び図７に示すように、液晶表示装置２は、液晶表示パネル５０、バックライトユニット９０、及び制御部１００を備えている。液晶表示パネル５０は、アレイ基板６０と、アレイ基板６０に対向配置された対向基板７０と、アレイ基板６０及び対向基板７０間に挟持された液晶層８０とを備えている。
【００３２】
図７及び図８に示すように、アレイ基板６０は、透明な絶縁基板として矩形状のガラス基板６１を備えている。ガラス基板６１上には、複数の信号線６２と、複数の走査線６３とが形成されている。信号線６２及び走査線６３は、互いに直交して形成されている。また、ガラス基板６１上には、走査線６３に平行な複数の補助容量線６４が形成されている。この実施形態において、隣合う２本の信号線６２及び隣合う２本の走査線６３で囲まれた各領域には画素ＰＸが形成されている。これらの画素ＰＸは、ガラス基板６１上にマトリクス状に配置されている。
【００３３】
次に、画素ＰＸを１つ取り出して詳述する。  
画素ＰＸは、信号線６２及び走査線６３の交差部近傍に形成されたスイッチング素子としてのＴＦＴ（薄膜トランジスタ）６５と、ＴＦＴ６５に接続された画素電極６６と、画素電極６６に接続された補助容量素子６７と、を有している。補助容量線６４は、補助容量素子６７の一方の電極を形成している。
【００３４】
図示しないが、ガラス基板６１上に、赤色、緑色及び青色の複数の着色層を有したカラーフィルタが形成されている。なお、上記画素電極６６はＩＴＯ等の透明な導電材料でカラーフィルタ上に形成されている。また、カラーフィルタ上には、スペーサとして、例えば複数の柱状スペーサ６８が形成されている。上記のように、ガラス基板６１上にアレイパターン６０Ｐが形成されている。ガラス基板６１及びアレイパターン６０Ｐ上に配向膜６９が形成されている。
【００３５】
対向基板７０は、透明な絶縁基板として矩形状のガラス基板７１を備えている。ガラス基板７１上に、対向電極７２及び配向膜７３が順に形成されている。なお、配向膜６９及び配向膜７３には同一方向に配向処理（ラビング）が施されている。このように、対向基板７０が形成されている。
【００３６】
アレイ基板６０及び対向基板７０間の隙間は、複数の柱状スペーサ６８により保持されている。アレイ基板６０及び対向基板７０は、表示領域の外周に沿って配置されたシール材８１により接合されている。液晶層８０は、アレイ基板６０、対向基板７０及びシール材８１で囲まれた領域に充填されたネマティック液晶で形成されている。
【００３７】
アレイ基板６０の外面上に、光学補償フィルム５１及び偏光板５２が順に形成されている。対向基板７０の外面上に、光学補償フィルム５３及び偏光板５４が順に形成されている。偏光板５２及び偏光板５４は、配向方向に対して略４５°で交差するようにクロスニコル配置されている。上記のように、液晶表示パネル５０は、ＯＣＢモードの液晶パネルである。ここで、液晶表示パネル５０は、電圧を印加しない状態で光透過状態となるノーマリーホワイト型である。
【００３８】
図７に示すように、バックライトユニット９０は、アレイ基板６０の外面側に設けられている。バックライトユニット９０は、偏光板５２と対向した導光板を含む導光体９２と、導光体９２の一側縁に対向配置された、例えば冷陰極線管やＬＥＤからなる光源９３及び反射板９４を有している。
【００３９】
次に、画像表示システムを用いて立体画像を表示する場合の上記シャッタメガネ１及び液晶表示装置２の動作について説明する。  
図７及び図９に示すように、制御部１００は、立体画像を表示する場合、例えば１２０Ｈｚのフレーム周波数で左目用の画像と右目用の画像とを交互に表示するよう、液晶表示パネル５０の駆動を制御する。ここで、１フレーム（１Ｆ）とは、全ての画素ＰＸを順次走査し再び同一の画素ＰＸを走査するまでの時間である。  
上記のことから、液晶表示装置２は、実質６０Ｈｚの周波数で解像度の低下なく立体画像の表示を可能にしている。
【００４０】
図１、図２及び図９に示すように、任意の１フレームの期間、駆動部５は、液晶表示装置２による右目用の画像表示に同期を取って第１パネル３Ｌを非透過状態（ＯＦＦ）に切替えている間、第２パネル３Ｒを透過状態（ＯＮ）に切替える。
【００４１】
続く、１フレームの期間、駆動部５は、液晶表示装置２による左目用の画像表示に同期を取って第１パネル３Ｌを透過状態（ＯＮ）に切替えている間、第２パネル３Ｒを非透過状態（ＯＦＦ）に切替える。
【００４２】
その後も、液晶表示装置２の画像表示に同期を取って第１パネル３Ｌ及び第２パネル３Ｒを交互に透過状態に切替える。駆動部５は、それぞれ第１パネル３Ｌ及び第２パネル３Ｒを透過状態（ＯＮ）に切替える際、前回、透過状態（ＯＮ）に切替えてから６０分の１秒後に切替えている。これにより、シャッタメガネ１を装着したユーザは、左目用の画像と、右目用の画像とを左右の目で交互にみることができ、ユーザに立体画像を表示することができる。
【００４３】
上記のように構成された第１の実施形態に係るシャッタメガネ１を備えた画像表示システムによれば、画像表示システムは、シャッタメガネ１と、左目用の画像（映像）と右目用の画像（映像）とを交互に表示する液晶表示装置２とを備えている。シャッタメガネ１は、複数の第１ＭＥＭＳ素子１５Ｌを有した第１パネル３Ｌと、複数の第２ＭＥＭＳ素子１５Ｒを有した第２パネル３Ｒと、駆動部５と、を備えている。
【００４４】
駆動部５は、第１パネル３Ｌに第１駆動信号ＶＬを供給して複数の第１ＭＥＭＳ素子１５Ｌを透過状態及び非透過状態に交互に切替え、第２パネル３Ｒに第２駆動信号ＶＲを供給して複数の第２ＭＥＭＳ素子１５Ｒを透過状態及び非透過状態に交互に切替えることができる。
【００４５】
第１パネル３Ｌ及び第２パネル３Ｒは、透過状態及び非透過状態を機械的に切替えることができる。このため、液晶層に電圧を印加して液晶分子の傾き角を制御する液晶シャッタメガネに比べて、シャッタメガネ１は、透過状態及び非透過状態を高速に切替えることが可能である。
【００４６】
シャッタメガネ１は、液晶層を有しておらず、液晶層の屈折率を利用するものではない。このため、ユーザは、液晶表示装置２が表示する画像をシャッタメガネ１を通してみても、シャッタメガネ１を通さずにみた場合と同様の（同様の色味の）画像をみることができる。
【００４７】
また、シャッタメガネ１は、複屈折を持つ液晶層を有していないため、視野角特性がよい（視野角が狭くならない）ものである。これにより、液晶表示装置２の画面を斜め方向から見ても、コントラストが下がったり、画像の白黒が反転したりすることはない。
【００４８】
さらに、液晶シャッタメガネに必要な偏光板を、シャッタメガネ１は必要としないため、画像の輝度レベルの低下を抑制することができる。またさらに、ユーザが寝そべったりして顔を傾けても、輝度レベルの低下無しに画像をみることができる。
【００４９】
液晶表示装置２は１２０Ｈｚの周波数で左目用の画像（映像）と右目用の画像（映像）とを交互に表示し、第１パネル３Ｌ及び第２パネル３Ｒは１２０Ｈｚの周波数で透過状態（ＯＮ）及び非透過状態（ＯＦＦ）に交互に切替えられるため、実質６０Ｈｚの周波数で画像を表示した場合と同等の鮮明な立体画像をシャッタメガネ１を装着したユーザに表示することができる。
【００５０】
第１パネル３Ｌ及び第２パネル３ＲはＴＦＴ１３を有しているため、個々の第１ＭＥＭＳ素子１５Ｌ及び第２ＭＥＭＳ素子１５Ｒを選択的に透過状態に切替えることができる。例えば、左目や右目に入射される光の透過量を、ＴＦＴ１３を一括して選択することのみならず、順次走査する、あるいはそのタイミングを制御することにより、個々の第１ＭＥＭＳ素子１５Ｌ及び第２ＭＥＭＳ素子１５Ｒの時間開口率を独立に調整することも可能であり、画像を所望の輝度レベルに調整してみることができる。また、ＴＦＴ１３を介して印加される電圧を制御することで、その開口の度合いを制御し、これにより画像を所望の輝度レベルに調整してみることもできる。
【００５１】
上記のことから、透過状態及び非透過状態間の高速切替えを行うことができ、透過画像の品位に優れ、ユーザの姿勢の制限を低減することができるシャッタメガネ１及びシャッタメガネ１を備えた画像表示システムを得ることができる。
【００５２】
次に、第２の実施形態に係るシャッタメガネを備えた画像表示システムについて詳細に説明する。この実施形態において、上記第１の実施形態と同一機能部分には同一符号を付し、その詳細な説明は省略する。
【００５３】
シャッタメガネ１は、例えば１２０Ｈｚで単に交互に全面白黒を表示させればよく、必ずしもマトリクス（走査）駆動する必要は無い。  
図１０に示すように、第１基板１０は、駆動回路１４を有していないが、走査線１６用のパッド１８及び信号線１７用のパッド１９を有している。パッド１８には複数の走査線１６が一括して接続され、パッド１９には複数の信号線１７が一括して接続されている。
【００５４】
駆動部５は、パッド１８を介して全ての走査線１６にオンパルス信号を与える。駆動部５は、パッド１９を介して全ての信号線１７に一括して第１駆動信号ＶＬを供給する。詳しくは、駆動部５は、任意の１フレームの期間に全ての信号線１７に一括して黒電圧（第１ＭＥＭＳ素子１５Ｌが非透過状態となる電圧）を印加し、続く１フレームの期間に全ての信号線１７に一括して白電圧（第１ＭＥＭＳ素子１５Ｌが透過状態となる電圧）を印加する。
【００５５】
上記のように構成された第２の実施形態に係るシャッタメガネ１を備えた画像表示システムによれば、画像表示システムは、シャッタメガネ１と、左目用の画像（映像）と右目用の画像（映像）とを交互に表示する液晶表示装置２とを備えている。シャッタメガネ１は、複数の第１ＭＥＭＳ素子１５Ｌを有した第１パネル３Ｌと、複数の第２ＭＥＭＳ素子１５Ｒを有した第２パネル３Ｒと、駆動部５と、を備えている。このため、上述した第１の実施形態と同様の効果を得ることができる。
【００５６】
シャッタメガネ１は、高価な上記駆動回路１４を必要としないため製造コストの高騰を抑制することができ、また、配線の引き回し領域や、駆動回路１４を設けるための基板面積を大幅に減少させることができるため、第１パネル３Ｌ及び第２パネル３Ｒの狭額縁化を図ることができる。
【００５７】
上記のことから、透過状態及び非透過状態間の高速切替えを行うことができ、透過画像の品位に優れ、ユーザの姿勢の制限を低減することができるシャッタメガネ１及びシャッタメガネ１を備えた画像表示システムを得ることができる。
【００５８】
次に、第３の実施形態に係るシャッタメガネを備えた画像表示システムについて詳細に説明する。この実施形態において、上記第２の実施形態と同一機能部分には同一符号を付し、その詳細な説明は省略する。
【００５９】
シャッタメガネ１は、例えば１２０Ｈｚで単に交互に全面白黒を表示させればよく、必ずしもＴＦＴ１３を介して第１ＭＥＭＳ素子１５Ｌ又は第２ＭＥＭＳ素子１５Ｒに電圧を印加する必要は無い。
【００６０】
図１１に示すように、第１基板１０は、ＴＦＴ１３、走査線１６、及びパッド１８を有していない。  
第１パネル３Ｌの複数の信号線１７は、複数の第１ＭＥＭＳ素子１５Ｌに接続され、第１駆動信号ＶＬを複数の第１ＭＥＭＳ素子１５Ｌに一括して供給可能とする第１共通配線ＣＯＭ１を形成している。第２パネル３Ｒの複数の信号線１７は、複数の第２ＭＥＭＳ素子１５Ｒに接続され、第２駆動信号ＶＲを複数の第２ＭＥＭＳ素子１５Ｒに一括して供給可能とする第２共通配線ＣＯＭ２を形成している。
【００６１】
駆動部５は、パッド１９を介して全ての信号線１７に一括して第１駆動信号ＶＬを供給する。詳しくは、駆動部５は、任意の１フレームの期間に全ての信号線１７に一括して黒電圧（第１ＭＥＭＳ素子１５Ｌが非透過状態となる電圧）を印加し、続く１フレームの期間に全ての信号線１７に一括して白電圧（第１ＭＥＭＳ素子１５Ｌが透過状態となる電圧）を印加する。
【００６２】
上記のように構成された第３の実施形態に係るシャッタメガネ１を備えた画像表示システムによれば、画像表示システムは、シャッタメガネ１と、左目用の画像（映像）と右目用の画像（映像）とを交互に表示する液晶表示装置２とを備えている。シャッタメガネ１は、複数の第１ＭＥＭＳ素子１５Ｌを有した第１パネル３Ｌと、複数の第２ＭＥＭＳ素子１５Ｒを有した第２パネル３Ｒと、駆動部５と、を備えている。このため、上述した第１及び第２の実施形態と同様の効果を得ることができる。
【００６３】
第１パネル３Ｌ及び第２パネル３Ｒの製造工程において、ＴＦＴ１３を製造しなくともよいため、製造工程が容易となる。また、遮光層２２が開口部２２ａを大きく取ることができるようになったり、第１ＭＥＭＳ素子１５Ｌ及び第２ＭＥＭＳ素子１５Ｒの開口率を向上させることが可能となったりするため、より輝度レベルが向上したシャッタメガネ１を得ることができる。
【００６４】
上記のことから、透過状態及び非透過状態間の高速切替えを行うことができ、透過画像の品位に優れ、ユーザの姿勢の制限を低減することができるシャッタメガネ１及びシャッタメガネ１を備えた画像表示システムを得ることができる。
【００６５】
なお、この発明は上記実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６６】
例えば、第１ＭＥＭＳ素子１５Ｌ及び第２ＭＥＭＳ素子１５Ｒは、スライド型に限定されるものではなく、種々変形可能である。スライド型の場合、第１ＭＥＭＳ素子１５Ｌ又は第２ＭＥＭＳ素子１５Ｒを隠すための遮光層２２の面積が必要であり、開口率（光利用効率）の向上を図ることが困難である。
【００６７】
図１２及び図１３に示すように、第１ＭＥＭＳ素子１５Ｌ及び第２ＭＥＭＳ素子１５Ｒを立て屏風型とすることにより、第１の実施形態に比べて開口率（光利用効率）の向上を図ることができる。
【００６８】
また、図１４及び図１５に示すように、第１ＭＥＭＳ素子１５Ｌ及び第２ＭＥＭＳ素子１５Ｒをアコーディオン型としてもよく、この場合も、第１の実施形態に比べて開口率（光利用効率）の向上を図ることができる。
【００６９】
さらに、図１６及び図１７に示すように、第１ＭＥＭＳ素子１５Ｌ及び第２ＭＥＭＳ素子１５Ｒをブラインド型としてもよく、この場合も、第１の実施形態に比べて開口率（光利用効率）の向上を図ることができる。
【００７０】
複数の第１ＭＥＭＳ素子１５Ｌ及び複数の第２ＭＥＭＳ素子１５Ｒは、それぞれ、ガラス基板１１及びガラス基板２１間に設けられていればよい。
【００７１】
第１ＭＥＭＳ素子１５Ｌ及び第２ＭＥＭＳ素子１５Ｒの保護のため、第１パネル３Ｌ及び第２パネル３Ｒにはオイル層３０が設けられているが、これに限らず、種々変形可能であり、オイル層３０は必要に応じて設けられていればよい。第１基板１０及び第２基板２０間は、真空排気されていてもよい。
【００７２】
遮光層２２は、第１基板１０に限らず、第２基板２０に形成されていてもよい。なお、遮光層２２はＴＦＴ１３の誤動作や配線での反射を気にして配置したものであり、第１パネル３Ｌ及び第２パネル３Ｒは、遮光層２２無しに形成されていてもよい。
【００７３】
第１ＭＥＭＳ素子１５Ｌ及び第２ＭＥＭＳ素子１５Ｒの個数及びサイズは限定されるものではなく種々変形可能であり、また、開口部２２ａの個数及びサイズも限定されるものではなく種々変形可能である。例えば、第１ＭＥＭＳ素子１５Ｌ及び第２ＭＥＭＳ素子１５Ｒの面積をより大きくすることにより、第１ＭＥＭＳ素子１５Ｌ及び第２ＭＥＭＳ素子１５Ｒの開口率を向上させることができ、より輝度レベルが向上したシャッタメガネ１を得ることができる。
【００７４】
上記実施形態において、液晶表示装置２は１２０Ｈｚの周波数で左目用の画像（映像）と右目用の画像（映像）とを交互に表示し、第１パネル３Ｌ及び第２パネル３Ｒは１２０Ｈｚの周波数で透過状態（ＯＮ）及び非透過状態（ＯＦＦ）に交互に切替えられるが、これらの周波数は１２０Ｈｚに限定されるものではなく、より高い周波数、例えば２４０Ｈｚで駆動するなど、種々変形可能である。
【００７５】
駆動部５は、筐体８に収容されているが、これに限定されるものではなく種々変形可能であり、例えば、一部又は全てが第１パネル３Ｌ及び第２パネル３Ｒに設けられていてもよい。
【００７６】
駆動部５は、複数の第１ＭＥＭＳ素子１５Ｌが透過状態に切替わっている間に第１パネル３Ｌへの第１駆動信号ＶＬの供給を停止し、複数の第２ＭＥＭＳ素子１５Ｒが透過状態に切替わっている間に第２パネル３Ｒへの第２駆動信号ＶＲの供給を停止してもよい。
【００７７】
駆動部５が第１パネル３Ｌに第１駆動信号ＶＬを供給しない場合、複数の第１ＭＥＭＳ素子１５Ｌは、自発的に透過状態に切替わり、安定する。駆動部５が第２パネル３Ｒに第２駆動信号ＶＲを供給しない場合、複数の第２ＭＥＭＳ素子１５Ｒは、自発的に透過状態に切替わり、安定する。  
これにより、シャッタメガネ１の使用後など、使用していない時に、シャッタメガネ１を透過状態（明状態）に保持することができる。
【００７８】
上記表示装置は、液晶表示装置２に限定されるものではなく、種々変形可能であり、ＰＤＰ（Plasma Display Panel）やＣＲＴ（cathode-ray tube）表示装置等の表示装置であってもよい。
【符号の説明】
【００７９】
１…シャッタメガネ、２…液晶表示装置、３Ｌ…第１パネル、３Ｒ…第２パネル、５…駆動部、６…電源部、７…受信器、８…筐体、１０…第１基板、１１…ガラス基板、１３…ＴＦＴ、１４…駆動回路、１５Ｌ…第１ＭＥＭＳ素子、１５Ｒ…第２ＭＥＭＳ素子、１６…走査線、１７…信号線、１８，１９…パッド、２０…第２基板、２１…ガラス基板、２２…遮光層、２２ａ…開口部、３０…オイル層、５０…液晶表示パネル、６０…アレイ基板、７０…対向基板、８０…液晶層、９０…バックライトユニット、１００…制御部。
【図１】
2012155078.tif 000003
【図２】
2012155078.tif 000004
【図３】
2012155078.tif 000005
【図４】
2012155078.tif 000006
【図５】
2012155078.tif 000007
【図６】
2012155078.tif 000008
【図７】
2012155078.tif 000009
【図８】
2012155078.tif 000010
【図９】
2012155078.tif 000011
【図１０】
2012155078.tif 000012
【図１１】
2012155078.tif 000013
【図１２】
2012155078.tif 000014
【図１３】
2012155078.tif 000015
【図１４】
2012155078.tif 000016
【図１５】
2012155078.tif 000017
【図１６】
2012155078.tif 000018
【図１７】
2012155078.tif 000019